(57)【要約】【課題】雑菌が繁殖しやすい靴先部分を積極的に消臭処理するとともに、当該靴先部分以外にも消臭剤が行き渡るようにして、靴の内部空間全体を効率的に消臭処理する。【解決手段】作動モード設定部10の天板状部11に、複数の狭溝11ｃと延伸部分11ｂにいたる広溝11ｄとを放射状に形成した。作動モード設定部10を肩カバー20に対して回動操作することによりリブ14ａを当該肩カバーの凹部20ｃに対向させてから、延伸部分11ｂを靴先部分に向けて天板状部11を靴の内底に押し付けると、消臭剤は広溝11ｄや各狭溝11ｃから靴の内部に放射状に放出される。広溝11ｄからは狭溝11ｃよりも多い量の消臭剤が靴先部分に近づいたかたちで放出されるので、当該靴先部分は積極的に消臭処理される。また、消臭剤は各狭溝11ｃや広溝11ｄが接触する内底部分やかかとなどの部分にも行き渡るので、靴の内部空間全体が効率的に消臭処理される。【選択図】図１
2005169321.tif 000002
【特許請求の範囲】
【請求項１】
作動モード設定部が靴底などの面部分に押し付けられることにより作動モードとなる内容物放出機構において、
前記作動モード設定部は、外部空間に内容物を放出するための複数の通路部をそれぞれの放出方向が異なる態様で備え、
前記複数の通路部のうちの、靴内部のつま先空間などの特定範囲を対象とする方向への通路部を、その内容物通過用断面積が他の通路部のそれよりも大きくなるように設定した、
ことを特徴とする倒立使用の内容物放出機構。
【請求項２】
前記複数の通路部は、前記作動モード設定部の天面部分に放射状に形成された溝状部からなる、
ことを特徴とする請求項１記載の倒立使用の内容物放出機構。
【請求項３】
前記作動モード設定部は、少なくともその天面部分の形状が靴内部のつま先などに対応した所定方向に延伸されたものであり、
前記特定方向への通路部は、この延伸された部分を含む態様で形成されている、
ことを特徴とする請求項１または２記載の倒立使用の内容物放出機構。
【請求項４】
請求項１，２，３ 記載のいずれかの倒立使用の内容物放出機構を備え、かつ、放出用ガスおよび内容物を収容したエアゾール式製品。
【発明の詳細な説明】
【技術分野】
【０００１】
本発明は、靴並びに靴形状の箱及び容器（以下「靴など」という。）の内部空間を、例えば消臭，除菌処理をするための内容物放出機構およびエアゾール式製品に関し、特に雑菌が繁殖しやすい例えば靴先側の内部空間には他の内部空間よりも積極的に内容物が放出されるようにして、靴などの内部空間を効率的に例えば消臭，除菌処理する内容物放出機構などに関する。
【０００２】
本発明は、
・貯留空間部の入口側の流入弁および出口側の吐き出し弁の作用により、容器本体の内容物をいったん当該貯留空間部に取り込んだ上でそれを外部空間に放出するポンプ式、
・容器本体内部に予め内容物とともに充填してある放出用ガスの作用により、当該内容物を外部空間に放出するエアゾール式、
の各製品に用いることができるが、以下の記載では説明の便宜上エアゾール式製品を前提とする。
【０００３】
また、以下の記載では、説明の便宜上、靴の内部空間を消臭処理したり除菌処理する場合を前提にする。
【背景技術】
【０００４】
靴、特にブーツは、雑菌が繁殖しやすい靴先部分が足を入れる開口部分から離れているため、通常のエアゾール容器を用いて消臭剤や除菌剤を噴霧してもそれが靴先部分にまで行き渡りにくい。
【０００５】
そこで、消臭剤などを靴先部分に積極的に放出させるために、放出口を靴先部分に向けた状態で放出釦を靴の開口部分の内底に押し当てて消臭剤を放出する靴用エアゾール容器や、靴先部分に消臭剤などを放出するための長いノズルを設けた靴用エアゾール容器などが開示されている。
【０００６】
各エアゾール容器とも消臭剤などは、放出口から靴先部分に向かって放出されるが放出釦を押し当てた内底部分やその反対側の部分（例えばかかとなど）には行き渡りにくい。そのため、この部分を例えば消臭処理するためには再度、放出釦の向きやエアゾール容器の位置を変えるなどして放出操作を行っている（例えば、特許文献１参照）。
【特許文献１】特開２０００−２５６１０１号公報
【発明の開示】
【発明が解決しようとする課題】
【０００７】
このように、従来の靴用エアゾール容器では、靴などの内部空間を効率的に消臭処理などを実行できないという問題点があった。
【０００８】
そこで、本発明では、内容物を放出するための複数の通路部を設け、靴先部分などの特定方向への通路部の断面積を他よりも大きくして靴先部分などに積極的に多くの消臭剤などを放出するとともに、この部分以外にも消臭剤などが放出されるようにして、靴などの内部空間全体を効率的に例えば消臭処理することを目的とする。
【課題を解決するための手段】
【０００９】
本発明は、この課題を次にようにして解決する。
（１）作動モード設定部（例えば後述の作動モード設定部１０）が靴底などの面部分に押し付けられることにより作動モードとなる倒立使用の内容物放出機構において、前記作動モード設定部は、外部空間に内容物を放出するための複数の通路部（例えば後述の狭溝１１ｃ，狭通路１２ｂ，広溝１１ｄ，広通路１２ｃ）をそれぞれの放出方向が異なる態様で備え、前記複数の通路部のうちの、靴内部のつま先空間などの特定範囲を対象とする方向への通路部（例えば後述の広溝１１ｄ，広通路１２ｃ）を、その内容物通過用断面積が他の通路部（例えば後述の狭溝１１ｃ，狭通路１２ｂ）のそれよりも大きくなるように設定する。
（２）上記（１）において、前記複数の通路部を、前記作動モード設定部の天面部分（例えば後述の天板状部１１）に放射状に形成された溝状部（例えば後述の狭溝１１ｃ，広溝１１ｄ）からなる構成にする。
（３）上記（１）または（２）において、前記作動モード設定部を、少なくともその天面部分の形状が靴内部のつま先などに対応した所定方向に延伸されたもの（例えば後述の延伸部分１１ｂ）にし、この延伸された部分を含む態様で前記特定方向への通路部を形成する。
（４）本発明は、以上の特徴を持つ倒立使用の内容物放出機構を対象とするとともに、これらいずれかの内容物放出機構を備えたエアゾール式製品も対象にしている。
【発明の効果】
【００１０】
本発明では、このように、靴底などに押し付けて内容物を放出する作動モード設定部に複数の内容物放出用の通路部を設け、靴内部のつま先空間などへの通路部の内容物通過用断面積を他の通路部よりも大きくしている。
【００１１】
したがって、例えば雑菌が繁殖しやすく作動モード設定部を押し付ける面部分から離れているつま先部分に多くの内容物を放出することができ、また当該つま先部分以外にも内容物は放出されるので、靴などの内部空間を効率的に消臭処理などをすることができる。
【００１２】
また、内容物の放出用の通路部として、作動モード設定部の天面部分に放射状の溝状部を形成しているので、内容物はこれらの溝状部から放射状に広がるかたちで放出され、靴などの内部空間を全体に渡って消臭処理などをすることができる。
【００１３】
さらに、作動モード設定部の天面部分を靴先などに対応したかたちで延伸し、この延伸部分に他の部分よりも内容物通過用断面積が大きい通路部分を形成しているので、多くの内容物が作動モード設定部を押し付ける靴底などの面部分から離れている靴先部分により近づいたかたちで放出され、当該靴先部分をより積極的に消臭処理などをすることができる。
【発明を実施するための最良の形態】
【００１４】
図１乃至図３を用いて本発明を実施するための最良の形態を説明する。
図１は本発明の消臭作用を呈するエアゾール式製品の静止モードであり、（ａ）は作動モード設定部の平面状態、（ｂ）は作動モード設定部を容器本体に取り付けた状態をそれぞれ示し、図２は図１のエアゾール式製品の要部および放出用の各ルート（一部）を示し、図３は図１のエアゾール式製品を靴の内底に押し当てた作動モードを示している。
【００１５】
図示のエアゾール式製品は、
（１）一般的な容器本体３０，マウンティングカップ３１，ステム３２
（２）次の構成要素からなる作動モード設定部１０
・それぞれ表面部分に内容物通過用の溝を放射状に形成した中央の漏斗状部１２とその外側の天板状部１１
・漏斗状部１２に取り付けられてステム出力部から天板状部１１までの個々の内容物通路を設定する（同じく）漏斗状のブッシュ１３
・天板状部１１から垂下して後述の肩カバーに対する回動動作を案内するとともに静止モードと作動モードの切替部を備えた環状の垂下壁状部１４
（３）容器本体３０（マウンティングカップ３１）に取り付けられて作動モード設定部１０の回動および上下動に対する動作制御機能（誤動作防止機能）を備えた肩カバー２０
に大別される。
【００１６】
これらの図において、
１０は肩カバー２０に対して相対的に回動し、また所定の作動モード対応位置でのみ下動可能な作動モード設定部，
１１は天板状部，１１ａは当該天板状部の一部を構成する円形状部分，１１ｂは天板状部１１の一部を構成し当該円形状部分から靴先部分に対応するかたちでのびた延伸部分，１１ｃは円形状部分１１ａに形成された消臭剤放出用の狭溝，１１ｄは円形状部分１１ａと延伸部分１１ｂに形成され狭溝１１ｃよりもその幅が広い消臭剤放出用の広溝，１１ｅはブッシュ１３を漏斗状部１２に取り付ける際の位置決め用の環状段部，
１２は漏斗状部，１２ａはブッシュ１３との間で消臭剤放出用の通路を形成するすり鉢状部，１２ｂは当該すり鉢状部に形成され狭溝１２ａに連通する狭通路，１２ｃは当該すり鉢状部に形成され狭通路１２ｂよりも幅が広く広溝１１ｄに連通する広通路，１２ｄはステム３２に嵌合するステム作用部，１２ｅは当該ステム作用部の内周面に形成されステム３２を受けるための環状突部，１２ｆは当該環状突部によって形成される消臭剤放出用の孔部，
１３はブッシュ，１３ａはすり鉢状部１２ａとの間で消臭剤放出用の通路を形成するカップ状部，１３ｂは水平方向の断面形状が十字形の垂下部，１３ｃは当該垂下部とステム作用部１２ｄとの間に形成される消臭剤放出用の４個の通路，１３ｄは天板状部１１の段部１１ｅに係止される環状の鍔状部，
１４は環状の垂下壁状部，１４ａは当該垂下壁状部の対向する位置に設けられた静止モード／作動モード設定用のリブ，
２０は肩カバー，２０ａは作動モード設定部１０（漏斗状部１２）の上下動を担保とするするための開口部，２０ｂは作動モード設定部１０が作動モード位置まで回動していないまま押圧されたときにリブ１４ａを受け止めて当該作動モード設定部の作動モードへの移動を阻止するための環状の起立部，２０ｃは当該起立部に、対向して形成されてそこにリブ１４ａが入り込むことによって作動モードへ移行する作動モード設定用の凹部，２０ｄは当該凹部の縁部分に設けられリブ１４ａを係止してを作動モード設定部の回動を制限するためのストッパー，
３０は容器本体，
３１はマウンティングカップ，
３２はステム，
４０は靴，４０ａは開口部，４０ｂは内部空間，４０ｃは内底部分，４０ｄは内側の靴先部分，４０ｅは内側のかかと部分，４０ｆは内側の側面部分
をそれぞれ示している。なお、作動モード設定部の静止モードへの回動状態を制限して所定の静止モード位置を設定する（ストッパー２０ｄと同様の）ストッパーを設けるようにしてもよい。
【００１７】
図１および図２に示すように、作動モード設定部１０の天板状部１１は、円形状部分１１ａと靴先部分に対応したかたちでのびる延伸部分１１ｂとを有し、当該延伸部分に至るの広溝１１ｄと円形状部分１１ａの複数の狭溝１１ｃとが全体として放射状になるように形成されている。
【００１８】
そして、広溝１１ｄはその上流側の広通路１２ｃと連通し、狭溝１１ｃはその上流側の狭通路１２ｂと連通している。広溝１１ｄと狭溝１１ｃとは同じ高さに、また広通路１２ｃと狭通路１２ｂは同じ高さにそれぞれ設定されている。
【００１９】
これにより、広溝１１ｄから放出される消臭剤は、
・その単位時間あたりの量が狭溝１１ｃよりも多く、
・靴先部分４０ｄに近づいたかたちで放出されるので、
雑菌が繁殖しやすく、また作動モード設定部１０を押し当てた靴４０の内底部分４０ｃから離れている靴先部分４０ｄは積極的に消臭処理される（図３参照）。
【００２０】
また、消臭剤は、各狭溝１１ｃや広溝１１ｄから放射状に広がるように放出されるので、これらの溝と直に接触する靴の内底部分４０ｃや当該内底部分から外側方向のかかと部分４０ｅや側面部分４０ｆなどの靴の内部空間４０ｂも効率的に消臭処理される。
【００２１】
ここで、作動モード設定部１０は、
・ブッシュ１３が漏斗状部１２に嵌合し、
・ステム作用部１２ｄが肩カバー２０の開口部２０ａを貫通してステム３２に嵌合し、
・リブ１４ａが起立部２０ｂに対向する、
かたちで肩カバー２０に取り付けられている。
【００２２】
このとき、ステム作用部１２ｄと垂下部１３ｂとの間には消臭剤放出用の通路１３ｃが形成されている。また、すり鉢状部１２ａの広通路１２ｃおよび各狭通路１２ｂは、これらの通路よりも幅および高さともに大きくなる態様で天板状部１１に形成された、広溝１３ａおよび各狭溝１２ａにそれぞれ連通している。また、ブッシュ１３の鍔状部１３ｄは天板状部１１と略同一平面となっている。
【００２３】
なお、図２の静止モードでは、リブ１４ａが肩カバー２０の起立部２０ｂに対向しているため作動モード設定部１０は静止モードにロックされた状態であり、当該作動モード設定部を押圧することはできない。したがって容器本体３０の消臭剤は放出されない。
【００２４】
このロックを解除するには、作動モード設定部１０を肩カバー２０に対して、そのリブ１４ａがストッパー２０ｄに当接するまで図２の時計方向に回動させればよい。この回動操作により、リブ１４ａは凹部２０ｃとの対向状態に位置する。
【００２５】
図３に示すように、靴４０の内部空間を消臭するには、
（１）エアゾール式製品を倒立させて靴４０の開口部４０ａに入れ、
（２）延伸部分１１ｂを靴先部分４０ｄに向けた状態で天板状部１１を内底部分４０ｃに当接させ、
（３）容器本体３０を押し付ける。
【００２６】
これにより、ステム３２が押圧されて弁（図示省略）が開くので、容器本体３０の消臭剤は、ステム３２，孔部１２ｆ，通路１３ｃを通り、広通路１２ｃ，広溝１１ｄや各狭通路１２ｂ，各狭溝１１ｃを通過して靴の内部空間４０ｂに放射状に放出される。
【００２７】
このとき、リブ１４ａは凹部２０ｃに入り込んでいるので容器本体３０の押付操作により作動モード設定部１０が肩カバー２０に対して回動することはなく、延伸部分１１ｂ（広溝１１ｄ）が確実に靴先部分４０ｄに向いた状態で消臭剤は放出される。
【００２８】
そして、前述のように、
・靴先部分４０ｄには他の部分よりも多い量の消臭剤が確実に行き渡り、
・内底部分４０ｃや当該内底部分から外側方向のかかと部分４０ｅ，側面部分４０ｆなどの靴先部分４０ｄ以外にも消臭剤が行き渡るので、
靴４０の内部空間全体４０ｂが効率的に消臭処理される。
【００２９】
内底部分４０ｃに対する作動モード設定部１０の押し付け操作をやめると、ステム４２がスプリング（図示省略）の付勢により復帰して作動モード設定部１０も当該ステムと連動し（図２の上方向に移動し）、リブ１４ａは凹部２０ｃから抜けた状態となる。
【００３０】
したがって、作動モード設定部１０を静止モードのロック状態に戻すには、当該作動モード設定部を肩カバー２０に対して反時計方向に回動操作してリブ１４ａを再び起立部２０ｂの上に位置させればよい。
【００３１】
なお、エアゾール式製品を組み立てるには、例えば、
（１）まず、肩カバー２０をマウンティングカップ３１に取り付けておき、
（２）ブッシュ１３の垂下部１３ｂを、鍔状部１３ｄが天板状部１１の環状段部１１ｅに当接するまで漏斗状部１２のステム作用部１２ｄに入れて作動モード設定部１０を組み立て、
（３）当該作動モード設定部のステム作用部１２ｄを、マウンティングカップ３１に取り付けた肩カバー２０の開口部２０ａに入れ、ステム３２が環状突部１２ｅに当接するまで挿入すればよい。
【００３２】
なお、天板状部１１の形状は任意であり、延伸部分１１ｂを設けずに全体形状を円形状にしたり、楕円形，長方形，正方形，ひし形などの方形状にしてもよい。その場合には靴先方向に向ける部分が一目で判るように、広溝１１ｄを形成した部分に目印を設ければよい。
【００３３】
また、延伸部分１１ｂを設けた上で、円形状部分１１ａを楕円形にしたり、長方形，正方形，ひし形などの方形状にしてもよい。
【００３４】
さらに、広溝１１ｄ及び狭溝１１ｃは、靴先部分に向かって放出される単位時間あたりの消臭剤の量が他の部分よりも多い態様であればよく、例えば、
・広溝１１ｄの深さを狭溝１１ｃよりも深く形成する、
・広溝１１ｄに代えて、靴先部分に向かう複数の狭溝を形成する、
などしてもよい。
【００３５】
また、すり鉢状部１２に広通路１２ｃ，狭通路１２ｂを設けずに、ブッシュ１３とすり鉢状部１２の間を、通路１３ｃを通過した消臭剤が広溝１１ｄおよび狭溝１１ｃの全体へ向かう共通の通路部にしてもよい。
【００３６】
さらに、狭溝１１ｃおよび広溝１１ｄに代えて、その上側部分が天板状部１１に開口しない狭通路部および広通路部を形成してもよい。この場合にも狭通路部および広通路部は、靴先部分に向かって放出される単位時間あたりの消臭剤の量が他の部分よりも多い態様であればよい。
【００３７】
また、天板状部１１に凸状部を設け、作動モードで靴の内底部分４０ｃに対する滑りを防止するとともに、天板状部１１の内底部分に対する接触面積を小さくして各狭溝１１ｃや広溝１１ｄから放出された消臭剤が当該天板状部の下側空間まで回り込むようにしてもよい。
【００３８】
エアゾール式やポンプ式の容器本体に収納する消臭剤や除菌剤としては、例えばアルコール類，トリクロサン，サリチル酸，アルキル４級アンモニウム塩，ベタイン型両性界面活性剤，ソルビン酸，ソルビン酸塩，安息香酸，安息香酸塩，パラオキシ安息香酸エステル，イソプロピルメチルフェノール，オルトフェニルフェノール，クレゾール，チモール，レゾルシン，パラクロロフェノール，感光素１０１号，感光素２０１号，感光素３０１号，感光素４０１号，チアントール，塩酸クロロヘキシジン，グルコンサンクロロヘキシジン，トリクロロカルバニド，ハロカルバン，イルガサン，ヘキサクロロフェン，カテキン類，ヒノキチオール，酸化チタン，酵素類，植物抽出エキス類（緑茶乾留エキス等），ポリフェノール類，ポリアクリル酸類，フラボノイド類，植物精油，フミンエキスなどがある。
【００３９】
また、抗菌剤，懸濁剤，界面活性剤，紫外線吸収剤，油性原料，保湿剤，酸化防止剤，金属イオン封鎖剤，吸着剤，皮膜化剤，高分子類，シリコン類，溶剤類，乳化剤などの各種内容物を用いることができる。
【００４０】
エアゾール式の容器本体に収納する内容物放出用のガスとしては、窒素，炭酸ガス，圧縮空気，亜酸化窒素などの圧縮ガス、液化石油ガス，ジメチルエーテル，フロロカーボンなどの液化ガスを用いることができる。
【図面の簡単な説明】
【００４１】
【図１】本発明の消臭作用を呈するエアゾール式製品の静止モードを示す説明図であり、（ａ）は作動モード設定部の平面状態、（ｂ）は作動モード設定部を容器本体に取り付けた状態を示している。
【図２】本発明のエアゾール式製品の要部および放出用の各ルートを示す説明図である。
【図３】本発明のエアゾール式製品の作動モードを示す説明図である。
【符号の説明】
【００４２】
１０：作動モード設定部
１１：天板状部
１１ａ：円形状部分
１１ｂ：延伸部分
１１ｃ：狭溝
１１ｄ：広溝
１１ｅ：環状段部
１２：漏斗状部分
１２ａ：すり鉢状部
１２ｂ：狭通路
１２ｃ：広通路
１２ｄ：ステム作用部
１２ｅ：環状突部
１２ｆ：孔部
１３：ブッシュ
１３ａ：カップ状部
１３ｂ：垂下部
１３ｃ：通路
１３ｄ：鍔状部
１４：垂下壁状部
１４ａ：リブ
２０：肩カバー
２０ａ：開口部
２０ｂ：起立部
２０ｃ：凹部
２０ｄ：ストッパー
３０：容器本体
３１：マウンティングカップ
３２：ステム
４０：靴
４０ａ：開口部
４０ｂ：内部空間
４０ｃ：内底部分
４０ｄ：靴先部分
４０ｅ：かかと部分
４０ｆ：側面部分
【図１】
2005169321.tif 000003
【図２】
2005169321.tif 000004
【図３】
2005169321.tif 000005